(57)【特許請求の範囲】
【請求項１】
周波数キャリア上にマッピングされたパイロット信号及びデータは送信帯域幅内に送信され、前記送信帯域幅の一部分は信号の送信に使用されない、マルチキャリアシステムにおいて信号を送信するための送信装置（６２）であって、
対応する受信装置におけるチャネル推定に適したパイロットパターンに従って、選択された周波数キャリア上にパイロット信号をマッピングするパイロット信号マッピング手段（６３）、を備え、
前記パイロットパターンは、信号の送信に使用されない前記送信帯域幅の前記一部分の下端と上端の各々に隣接した周波数キャリア上の追加パイロット信号を含むことによって、信号の送信に使用されない前記送信帯域幅の前記一部分の下端と上端の各々に隣接した周波数キャリアのためのチャネル推定を可能にする、
送信装置。
【請求項２】
前記パイロット信号を含む周波数キャリアは、前記データを含む周波数キャリア内に埋め込まれ、
前記パイロット信号マッピング手段（６３）は、信号の送信に使用されない前記送信帯域幅の前記一部分の下端と上端の各々に隣接した周波数キャリア上の追加パイロット信号を含むパイロットパターンを使用するように構成される、
請求項１に記載の送信装置（６２）。
【請求項３】
前記パイロットパターンが時間領域において前記パイロット信号の分布を有する場合は、前記パイロット信号マッピング手段（６３）は、時間領域における前記パイロット信号の分布に従って、信号の送信に使用されない前記送信帯域幅の前記一部分の下端と上端の各々に隣接した周波数キャリア上の前記追加パイロット信号をマッピングするように構成される、
請求項２に記載の送信装置（６２）。
【請求項４】
前記パイロット信号マッピング手段（６３）は、時間領域において、信号の送信に使用されない前記送信帯域幅の前記一部分の下端と上端の各々に隣接した全ての周波数キャリア上に前記追加パイロット信号をマッピングするように構成される、
請求項２に記載の送信装置（６２）。
【請求項５】
前記パイロット信号を含む周波数キャリアは少なくとも１つのトレーニングパターンに配置され、前記データを含む周波数キャリアはデータパターンに配置され、
前記パイロット信号マッピング手段（６３）は、信号の送信に使用されない前記送信帯域幅の前記一部分の下端と上端の各々に隣接した前記データパターンのための周波数キャリア上の追加パイロット信号を含むパイロットパターンを使用するように構成される、
請求項１〜４のいずれか１項に記載の送信装置（６２）。
【請求項６】
前記パイロットパターンが時間領域において前記パイロット信号の分布を有する場合は、前記パイロット信号マッピング手段（６３）は、前記パイロットパターンの時間領域における前記パイロット信号の分布に従って、信号の送信に使用されない前記送信帯域幅の前記一部分の下端と上端の各々に隣接した前記データパターンの周波数キャリア上に前記追加パイロット信号をマッピングするように構成される、
請求項５に記載の送信装置（６２）。
【請求項７】
前記パイロット信号マッピング手段（６３）は、時間領域において、信号の送信に使用されない前記送信帯域幅の前記一部分の下端と上端の各々に隣接した前記データパターンのための各周波数キャリア上に前記追加パイロット信号をマッピングするように構成される、
請求項５に記載の送信装置（６２）。
【請求項８】
前記パイロット信号マッピング手段は、信号の送信に使用されない前記送信帯域幅の前記一部分の存在に応じて、前記パイロットパターンを変更するように構成される、
請求項１〜７のいずれか１項に記載の送信装置（６２）。
【請求項９】
前記パイロット信号を含む周波数キャリアは、前記データを含む周波数キャリア内に埋め込まれ、
前記パイロット信号マッピング手段（６３）は、信号の送信に使用されない前記送信帯域幅の前記一部分の下端と上端の各々に隣接した周波数キャリアのためのチャネル推定が可能となるように、周波数領域において前記パイロットパターンをシフトするように構成される、
請求項１〜８のいずれか１項に記載の送信装置（６２）。
【請求項１０】
周波数キャリア上にマッピングされたパイロット信号及びデータは送信帯域幅内に送信され、前記送信帯域幅の一部分は信号の送信に使用されない、マルチキャリアシステムにおいて信号を送信するための送信方法であって、
受信側におけるチャネル推定のために適したパイロットパターンに従って、選択された周波数キャリア上にパイロット信号をマッピングするステップ、を備え、
前記パイロットパターンは、信号の送信に使用されない前記送信帯域幅の前記一部分の下端と上端の各々に隣接した周波数キャリア上の追加パイロット信号を含むことによって、信号の送信に使用されない前記送信帯域幅の前記一部分の下端と上端の各々に隣接した周波数キャリアのためのチャネル推定を可能にする、
送信方法。
【請求項１１】
周波数キャリア上にマッピングされたパイロット信号及びデータは送信帯域幅内に送信され、前記送信帯域幅の一部分は信号の送信に使用されない、マルチキャリアシステムにおいて信号を受信するための受信装置（６９）であって、
パイロットパターンに配置されたパイロット信号に基づいて、受信した信号のためのチャネル推定を実行するチャネル推定手段（７３）、を備え、
前記パイロットパターンは、信号の送信に使用されない前記送信帯域幅の前記一部分の下端と上端の各々に隣接した周波数キャリア上の追加パイロット信号を含むことによって、信号の送信に使用されない前記送信帯域幅の前記一部分の下端と上端の各々に隣接した周波数キャリアのためのチャネル推定を可能にする、
受信装置（６９）。
【請求項１２】
前記パイロット信号を含む周波数キャリアは、前記データを含む周波数キャリア内に埋め込まれ、
前記チャネル推定手段（７３）は、信号の送信に使用されない前記送信帯域幅の前記一部分の下端と上端の各々に隣接した周波数キャリア上にマッピングされた追加パイロット信号を備える前記パイロットパターンに基づいて、チャネル推定を実行するように構成される、
請求項１１に記載の受信装置（６９）。
【請求項１３】
前記パイロットパターンが時間領域において前記パイロット信号の分布を有する場合は、前記チャネル推定手段（７３）は、前記パイロットパターンの時間領域における前記パイロット信号の分布に従って、信号の送信に使用されない前記送信帯域幅の前記一部分の下端と上端の各々に隣接した周波数キャリア上にマッピングされた追加パイロット信号を備える前記パイロットパターンに基づいて、チャネル推定を実行するように構成される、
請求項１２に記載の受信装置（６９）。
【請求項１４】
前記チャネル推定手段（７３）は、時間領域において、信号の送信に使用されない前記送信帯域幅の前記一部分の下端と上端の各々に隣接した各周波数キャリア上にマッピングされた前記追加パイロット信号を備える前記パイロットパターンに基づいて、チャネル推定を実行するように構成される、
請求項１２に記載の受信装置（６９）。
【請求項１５】
前記パイロット信号を含む周波数キャリアは少なくとも１つのトレーニングパターンに配置され、前記データを含む周波数キャリアはデータパターンに配置され、
前記チャネル推定手段（７３）は、信号の送信に使用されない前記送信帯域幅の前記一部分の下端と上端の各々に隣接した前記データシンボルのための周波数キャリア上にマッピングされた追加パイロット信号を備える前記パイロットパターンに基づいて、チャネル推定を実行するように構成される、
請求項１１〜１４のいずれか１項に記載の受信装置（６９）。
【請求項１６】
前記パイロットパターンが時間領域において前記パイロット信号の分布を有する場合は、前記チャネル推定手段（７３）は、前記パイロットパターンの時間領域における前記パイロット信号の分布に従って、信号の送信に使用されない前記送信帯域幅の前記一部分の下端と上端の各々に隣接した前記データパターンの周波数キャリア上にマッピングされた前記追加パイロット信号を備える前記パイロットパターンに基づいて、チャネル推定を実行するように構成される、
請求項１５に記載の受信装置（６９）。
【請求項１７】
前記チャネル推定手段（７３）は、時間領域において、信号の送信に使用されない前記送信帯域幅の前記一部分の下端と上端の各々に隣接した前記データシンボルのために全ての周波数キャリア上にマッピングされた前記追加パイロット信号を備える前記パイロットパターンに基づいて、チャネル推定を実行するように構成される、
請求項１５に記載の受信装置（６９）。
【請求項１８】
前記チャネル推定手段（７３）は、信号の送信に使用されない前記送信帯域幅の前記一部分の存在に応じて変更されるパイロットパターンに基づいて、チャネル推定を実行するように構成される、
請求項１１〜１７のいずれか１項に記載の受信装置（６９）。
【請求項１９】
前記パイロット信号を含む周波数キャリアは、前記データを含む周波数キャリア内に埋め込まれ、
前記チャネル推定手段（７３）は、信号の送信に使用されない前記送信帯域幅の前記一部分の下端と上端の各々に隣接した周波数キャリアのためのチャネル推定が可能となるように、周波数領域においてシフトされた変更パイロットパターンに基づいて、チャネル推定を実行するように構成される、
請求項１１〜１８のいずれか１項に記載の受信装置（６９）。
【請求項２０】
周波数キャリア上にマッピングされたパイロット信号及びデータは送信帯域幅内に送信され、前記送信帯域幅の一部分は信号の送信に使用されない、マルチキャリアシステムにおいて信号を受信するための受信方法であって、
パイロットパターンに配置されたパイロット信号に基づいて、受信信号におけるチャネル推定を実行するステップ、を備え、
前記パイロットパターンは、信号の送信に使用されない前記送信帯域幅の前記一部分の下端と上端の各々に隣接した周波数キャリア上の追加パイロット信号を含むことによって、信号の送信に使用されない前記送信帯域幅の前記一部分の下端と上端の各々に隣接した周波数キャリアのためのチャネル推定を可能にする、
受信方法。
【請求項２１】
請求項１に記載の送信装置（６２）と、
前記送信装置から送信された信号を受信するように構成された、請求項１１に記載の受信装置（６９）と、を備える、
システム。
【請求項２２】
周波数キャリア上にマッピングされたパイロット信号及びデータは送信帯域幅内に送信され、前記送信帯域幅の一部分は信号の送信に使用されない、マルチキャリアシステムにおいて信号を送信及び受信するための方法であって、
受信側におけるチャネル推定のために適したパイロットパターンに従って、選択された周波数キャリア上にパイロット信号をマッピングするステップと、
前記信号を送信するステップと、
請求項２０に記載の方法に従って、前記信号を受信するステップと、を備え、
前記パイロットパターンは、信号の送信に使用されない前記送信帯域幅の前記一部分の下端と上端の各々に隣接した周波数キャリア上の追加パイロット信号を含むことによって、信号の送信に使用されない前記送信帯域幅の前記一部分の下端と上端の各々に隣接した周波数キャリアのためのチャネル推定を可能にする、
方法。
【発明の詳細な説明】
【技術分野】
【０００１】
本発明は、送信帯域幅の一部分が信号の送信に使用されない、マルチキャリアシステムにおける改良されたパイロット信号割り当て方式に関する。
【背景技術】
【０００２】
現代の通信の世界において、異なる種類の通信システムは、同一又は隣接地域における通信において、頻繁に同一の周波数帯域を共有し、または、重複する周波数帯域を使用している。例えば、地上通信システム及びケーブル通信システムは頻繁に類似した周波数帯域を使用している。このため、ケーブル網、例えばケーブルに接続するためのアウトレット及び／又はテレビへの接続部における保護されていない部分からの放射が地上通信システムの通信を阻害する可能性がある。その一方で、ケーブルサービスの伝送品質においては、ケーブル媒体の付加ノイズに起因する地上サービスによって、悪影響が及ぼされる可能性がある。特に、地上波サービスがセキュリティ関連（救急サービス、空港管制等）である状況においては、ケーブル通信システムにおいて妨害への対応を進める必要がある。そのような周波数帯域の衝突を回避すると共に、一方又は双方の通信システム又はサービスにおける悪影響を回避するために、周波数のノッチングが頻繁に使用されている。
【発明の概要】
【発明が解決しようとする課題】
【０００３】
図１は、５つの相対的に狭い周波数帯域１’において信号を送信する地上波無線短波電波サービスのスペクトル１、及び地上波サービスが送信される狭い周波数帯域２’においてノッチされたスペクトル２の一例の周波数／振幅の概略図を示す。このような地上波サービスの例としては、アマチュア無線送信、短波電波サービス、無線に関連するセキュリティ（例えば、飛行セキュリティ）等であり、これらに限定されない。ノッチされる又はノッチされる必要がある送信又は通信システムの一例としては、ケーブル放送送信、電力線通信システム、ｘＤＳＬシステム等であり、これらに限定されない。
【０００４】
しかしながら、ノッチングの概念は、より小さい帯域幅で動作する他の無線又は有線の送信又は通信システムの周波数レンジと重なる任意の無線又は有線の送信又は通信システムにおいて一般に使用される。また、広い周波数レンジ内における小さい周波数レンジのノッチングの概念は、ユニキャスト、マルチキャスト及びブロードキャスト送信システム、並びに任意の種類の有線又は無線通信システムにおいて適用及び使用される。送信又は通信の処理能力を最大化するために、周波数ノッチの幅はできるだけ小さくすべきである。すなわち、周波数において重複する周波数だけ除外される又は使用されないべきである。
【０００５】
周波数のノッチングは、特に、必要なノッチの幅が時々又は定期的に変化する場合は、ノッチに隣接する周波数領域（キャリア）におけるチャネル推定のために必要なパイロット信号のような重要な部分が失われるので、チャネル推定において負の影響を有している。
【０００６】
従って、本発明の目的は、パイロットシンボルがチャネル推定のために使用され、周波数帯域幅の一部分が信号の送信に使用されない、マルチキャリアシステムにおいて、より信頼性のあるチャネル推定を可能とする、新規かつ改良された送信装置、送信方法、パイロットパターン、受信装置、受信方法、システム及び方法を提供することにある。
【課題を解決するための手段】
【０００７】
上記の目的は、請求項１に記載の送信装置、請求項１０に記載の送信方法、及び請求項１１記載のパイロットパターンによって達成される。
【０００８】
本発明によれば、周波数キャリア上にマッピングされたパイロット信号及びデータは送信帯域幅内に送信され、前記送信帯域幅の一部分は信号の送信に使用されない、マルチキャリアシステムにおいて信号を送信するための送信装置は、対応する受信装置におけるチャネル推定に適したパイロットパターンに従って、選択された周波数キャリア上にパイロット信号をマッピングするパイロット信号マッピング手段を備え、前記パイロットパターンは、前記送信帯域幅のうちの信号の送信に使用されない前記一部分の次の周波数キャリアのためのチャネル推定を可能にする。
【０００９】
本発明によれば、周波数キャリア上にマッピングされたパイロット信号及びデータは送信帯域幅内に送信され、前記送信帯域幅の一部分は信号の送信に使用されない、マルチキャリアシステムにおいて信号を送信するための送信方法は、受信側におけるチャネル推定のために適したパイロットパターンに従って、選択された周波数キャリア上にパイロット信号をマッピングするステップ、を備え、前記パイロットパターンは、前記送信帯域幅の前記一部分の次の周波数キャリアのためのチャネル推定を可能にする。
【００１０】
本発明は、周波数キャリア上にマッピングされたパイロット信号及びデータは送信帯域幅内に送信され、前記送信帯域幅の一部分は信号の送信に使用されない、マルチキャリアシステムのためのパイロットパターンであって、前記送信帯域幅の前記一部分の次の周波数キャリアのためのチャネル推定が可能となるように、選択された周波数キャリア上にマッピングされたパイロット信号、を備える、マルチキャリアシステムのためのパイロットパターンをさらに対象とする。
【００１１】
上記の目的は、請求項１２に記載の受信装置、請求項２１に記載の受信方法、請求項２２に記載のシステム、及び請求項２３に記載のさらなる方法によってさらに達成される。
【００１２】
本発明によれば、周波数キャリア上にマッピングされたパイロット信号及びデータは送信帯域幅内に送信され、前記送信帯域幅の一部分は信号の送信に使用されない、マルチキャリアシステムにおいて信号を受信するための受信装置は、パイロットパターンに配置されたパイロット信号に基づいて、受信した信号のためのチャネル推定を実行するチャネル推定手段、を備え、前記パイロットパターンは、前記送信帯域幅のうちの信号の送信に使用されない前記一部分の次の周波数キャリアのためのチャネル推定を可能にする。
【００１３】
本発明によれば、周波数キャリア上にマッピングされたパイロット信号及びデータは送信帯域幅内に送信され、前記送信帯域幅の一部分は信号の送信に使用されない、マルチキャリアシステムにおいて信号を受信するための受信方法は、パイロットパターンに配置されたパイロット信号に基づいて、受信信号におけるチャネル推定を実行するステップ、を備え、前記パイロットパターンは、前記送信帯域幅のうちの信号の送信に使用されない前記一部分の次の周波数キャリアのためのチャネル推定を可能にする。
【００１４】
本発明は、周波数キャリア上にマッピングされたパイロット信号及びデータは送信帯域幅内に送信され、前記送信帯域幅の一部分は信号の送信に使用されない、マルチキャリアシステムにおいて信号を送信するための送信装置であって、対応する受信装置におけるチャネル推定に適したパイロットパターンに従って、選択された周波数キャリア上にパイロット信号をマッピングするパイロット信号マッピング手段を備え、前記パイロットパターンは、前記送信帯域幅のうちの信号の送信に使用されない前記一部分の次の周波数キャリアのためのチャネル推定を可能にする、送信装置と、前記送信装置から送信された信号を受信するように構成された本発明にかかる受信装置と、を備えるシステムをさらに対象とする。
【００１５】
本発明は、周波数キャリア上にマッピングされたパイロット信号及びデータは送信帯域幅内に送信され、前記送信帯域幅の一部分は信号の送信に使用されない、マルチキャリアシステムにおいて信号を送信及び受信するための方法であって、受信側におけるチャネル推定のために適したパイロットパターンに従って、選択された周波数キャリア上にパイロット信号をマッピングするステップと、前記信号を送信するステップと、本発明の受信方法に従って、前記信号を受信するステップと、を備え、前記パイロットパターンは、前記送信帯域幅の前記一部分の次の周波数キャリアのためのチャネル推定を可能にする、方法をさらに対象とする。
【００１６】
送信帯域幅の一部分（又はいくつかの部分）が信号の送信に使用されない、すなわち、周波数帯域幅の一部分又はより多くの部分がノッチされた、マルチキャリアシステムにおいて、受信側、例えば受信装置における、より信頼性のある（又は、信頼性の増加したチャネル推定）チャネル推定を可能とするために、本発明は、パイロット信号、すなわち、特に、送信帯域幅のうちの信号の送信に使用されない一部分の次の又は隣接した領域又は幅における周波数キャリアのためのチャネル推定を可能にするパイロットパターンの周波数分布（及びひいては時間分布）を使用することを提案する。従って、本発明は、送信帯域幅のうちの信号の送信に使用されない一部分にパイロット信号を含む周波数キャリアが存在しないパイロットパターンを使用することを提案する。これにより、より信頼性のあるチャネル推定に必要な全てのパイロット信号は受信側において受信及び処理される。
【００１７】
本発明は、データ、パイロット信号、及びその他必要な情報の送信に多数の周波数キャリアが使用される、任意の無線又は有線の一方向（２点間の）、他方向又は放送送信システム、通信システム、又は送信リンクにおいて一般に適用され得る。このようなシステムの一例としては、直交波周波数分割多重（ＯＦＤＭ）システムであり、これに限られない。しかし、本発明は、送信又は通信（周波数）帯域幅が、データ及びパイロット信号（及び他の必要な情報）がマッピング又は変調された個々の周波数キャリアに分裂された任意のシステムに適用され得る。これにより、周波数キャリアはＯＦＤＭシステムのような等距離に位置し、及びすべてが同一の長さ（帯域幅）を有してもよい。あるいは、周波数キャリアは等距離に位置し、及び／又はすべてが同一の長さを有してもよい。
【００１８】
これにより、本発明は、データを運ぶ周波数キャリア内で、パイロット信号が周波数キャリア上にマッピングされたシステム（このようなシステムの一例としては、旧知のＯＦＤＭ放送システム、例えば、データキャリアに埋め込まれたパイロットキャリアだけが受信側におけるチャネル推定のために使用されるデジタルビデオ放送システムであり、これに限られない。）、又は受信側における同期化及びチャネル推定のために、パイロット信号を含むプリアンブルが使用される、及びデータキャリアが個々のデータシンボルで送信されるシステム（このようなシステムの一例としては、電力線通信システムのような典型的な双方向通信システム、又は最新のデータシンボルフレームの始まりを定義するパイロット信号を含むプリアンブルを使用する最新の放送標準である。）に適用され得る。適用可能性は、数ある中でも次世代又は未来のケーブルインターネットをベースとしたデジタルビデオ放送システムである。しかしながら、本発明はそれらの例に限定されず、他のシステム、例えば、パイロット信号を含むプリアンブル及び埋め込まれたパイロット信号を含むデータシンボルの混合物を使用するシステムに適用され得る。
【００１９】
パイロット信号を含む周波数キャリアがデータを含む周波数キャリア内に埋め込まれた、すなわち、データ及びパイロット信号が混合されたマルチキャリアシステムにおいて、本発明は、送信帯域幅のうち信号の送信に使用されない一部分と隣接する周波数キャリア上の追加パイロット信号を含むパイロットパターンを使用する（及び当該パイロットパターンに基づいてチャネル推定を実行する）ことを提案する。言い換えれば、周波数ノッチの外側のパイロット信号の元の分布及び割り当て、すなわちパイロットパターンは、送信帯域幅のうち信号の送信に使用されない一部分と隣接するいくらか又は全ての周波数キャリア上に追加パイロット信号がマッピングされることを除き、不変である。隣接するとの用語は、本明細書にわたって、追加パイロット信号がノッチされた周波数部分と元のパイロットパターンの次のキャリアとの間のキャリアに追加されるべきことを意味する。例えば、追加パイロット信号は、ノッチに近く、しかし隣り合わない他のキャリアに追加的に又は代わりに追加されることなく、周波数ノッチと直接隣り合う又は境界のキャリアだけに追加され得る。
【００２０】
これら追加パイロット信号は、送信帯域幅のうち信号の送信に使用されない一部分に隣接する領域における周波数キャリアのチャネル推定のために受信側において使用され得る。これにより、パイロットパターンが時間領域においてパイロット信号の分布を有する場合は、追加パイロット信号は、元のパイロットパターンの時間分布に対応する時間分布で、送信帯域幅のうち信号の送信に使用されない一部分に隣接する周波数キャリア上にマッピングされ得る。また、チャネル推定はこのようなパイロットパターンに基づいて実行され得る。時間分布は規則的又は不規則である。言い換えれば、周波数キャリアがタイムスロットに追加的に割り当てられたシステム、例えばＯＦＤＭシステムにおいて、送信帯域幅のうち信号の送信に使用されない一部分に隣接する全ての周波数キャリア及び全てのタイムスロットに追加パイロット信号を割り当てることは必要でないかもしれない。しかし、元のパイロットパターンのタイムスロット分布に対応したタイムスロット分布で、送信帯域幅のうち信号の送信に使用されない一部分に隣接する周波数キャリアに追加パイロット信号を割り当てること、及びパイロットパターンに基づいてチャネル推定を実行することは十分であるかもしれない。これにより、データ送信のための処理能力の向上、及びより信頼性のあるチャネル推定が達成される。あるいは、追加パイロット信号は時間領域において、送信帯域幅のうち信号の送信に使用されない一部分に隣接する全ての周波数キャリア上にマッピングされるかもしれない。また、チャネル推定は、追加パイロット信号を含むそのようなパイロットパターンに基づいて実行され得る。これにより、受信側におけるより信頼性のあるチャネル推定が達成され得る。
【００２１】
本発明は、パイロット信号を含む周波数キャリアが１つ又は複数のトレーニング又はプリアンブルパターンに配置され、データを含む周波数キャリアが１つ又は複数のデータパターンに配置されるマルチキャリアシステムにさらに適用できる。言い換えれば、パイロット信号はプリアンブルシンボル又はトレーニングシンボルで送信され、データはデータシンボルで送信される。これにより、プリアンブルシンボル又はトレーニングシンボルは受信側におけるチャネル推定のために使用される。このようなシステムにおいて、本発明は、送信帯域幅のうち信号の送信に使用されない一部分に隣接するデータパターンのために周波数キャリア上に追加パイロット信号をマッピングする、及びそのようなパイロットパターンに基づいてチャネル推定を実行することを提案する。トレーニング又はプリアンブルパターンのパイロット信号を含む周波数キャリアの一部分は周波数ノッチングのため送信され得ないので、本発明は、周波数ノッチに隣接するデータパターンの周波数キャリア上にパイロット信号を配置及びマッピングすること、及びそのようなパイロットパターンに基づいてチャネル推定を実行することを提案する。言い換えれば、トレーニングパターンはある方法で配置されたパイロット信号だけを備えるので、本発明は、受信側におけるより信頼性のあるチャネル推定を可能とするために、トレーニングパターン内ではなく、データパターン内に追加パイロットシンボルをマッピングすることを提案する。これにより、本発明は、周波数ノッチに隣接するデータパターンのための全てのキャリア上に追加パイロット信号をマッピングすること、又は元のパイロットパターンの（規則的又は不規則な）時間分布に対応する（規則的又は不規則な）時間分布で追加パイロット信号をマッピングすること、及びパイロットパターンの結果に基づいてチャネル推定を実行することを提案する。
【００２２】
当然のことながら、上述した本発明の２つの概念は、パイロット信号がプリアンブル又はトレーニングパターンで送信され、パイロット信号がデータ内にデータシンボルで埋め込まれるシステムに混合及び適用され得る。
【００２３】
さらに、ノッチ周波数が設定されたマルチキャリアシステムのパイロットパターンのための上述した概念は、ノッチ周波数の始めからパイロットパターンが適用され得るように、及び受信側（装置）と同様に送信側（装置）がノッチ周波数の存在、位置及び幅について知るように、ノッチ周波数はシステムが構築される時において周知される、常設又は半常設のシステムにおいて使用され得ることは理解されるべきである。これにより、ノッチ周波数に関する送信機及び受信機間でやりとりするこれ以上の情報は、システムの動作及びシステムのセットアップが外部から実行される間は、必要ではない。あるいは、ノッチ周波数が設定されたマルチキャリアシステムのパイロットパターンのための上述した概念は、ノッチ周波数の位置及び幅を定期的に又は時々調節及び変更することが必要である動的システムに使用され得る。これは、例えば、周波数ノッチの存在に応じた、送信機によるパイロットパターンの動的な変更を可能とすること、及びそのようなパイロットパターンの動的な変更に基づいた、受信機によるチャネル推定の実行を可能とすることによって、実行され得る。周波数ノッチの存在（及び位置、幅等）は送信機によって検出され、受信機に送信され得る、又はシステムの他の構成要素によって検出され、送信機及び受信機の両方に送信され得る。これにより、送信された情報は周波数ノッチの位置（及び幅等）だけ含むことができ、送信機及び受信機は、この観点においてすでに格納された情報のために、新しいパイロットパターンを使用しなければならないことを知るだろう。または、送信される情報は、それぞれの新しいパイロットパターンが使用され、ノッチの位置（及び幅等）を含むだろう。
【００２４】
送信帯域幅のうち信号の送信に使用されない一部分に隣接する周波数キャリア上の追加パイロット信号の使用の代替案又は追加案として、本発明は、周波数領域において元のパイロットパターンをシフトすること、及び送信帯域幅のうち信号の送信に使用されない一部分の次の周波数キャリアのためのチャネル推定を可能とするために、そのようなシフトされたパイロットパターンに基づいてチャネル推定を実行することを提案する。周波数ノッチ、すなわち送信帯域幅のうち信号の送信に使用されない一部分が周波数方向におけるパイロット信号の（時間補間された）繰り返し率よりも小さい場合には、元のパイロットパターンのいくつかのパイロット信号が周波数ノッチに含まれるならば、周波数領域において２つの隣接する周波数信号に周波数ノッチが含まれるように、周波数領域においてパイロットパターンをシフトすることは可能である。これにより、いかなるパイロット信号も失われず、受信側は全ての受信した周波数キャリアのためのより信頼性のあるチャネル推定を実行することができる。一方、周波数ノッチが周波数領域において２つの隣接するパイロット信号間の間隔よりも大きい場合は、上述したように追加パイロット信号は周波数ノッチに直接隣り合う周波数キャリア上にマッピングされるべきである。
【００２５】
当然のことながら、本明細書において使用される送信装置及び受信装置との用語は、全ての可能性のある現在及び将来の無線機器、有線機器、モバイル機器、ポータブル機器、非携帯機器、スタンドアロン型機器、一体型機器等をカバーすること、及び明細書の記載及び特許請求の範囲に記載された機能性の全ての可能性のある実施を含むことを目的としている。例えば、送信装置は、本発明の受信装置のために記載された機能性（これに限定されない）を含む受信の機能性を含むことができ、逆の場合も同じである。さらに、例えば、パイロット、プリアンブル、トレーニング又はデータパターンに用いられる、パターンとの用語は、パイロット信号、データ信号又は他の情報信号を周波数キャリア上に変調又はマッピングを含む、周波数マルチキャリアシステムにおける機器のベースバンド処理が正常に行われる、周波数領域における状態を説明することを目的とすることも注意すべきである。シンボルとの用語は、周波数領域信号（又はパターン）が送信機において変換され、使用された送信又は通信システムに応じた、それぞれ必要な処理が行われた後に送信される、時間領域における状態を説明する。また、本発明は、マルチキャリアシステムにおいて使用される送信帯域幅のための全ての現在及び将来の周波数レンジをカバーすることを目的とすることは理解されるべきである。また、本発明は、送信帯域幅における周波数ノッチの全ての可能性のある位置、幅等をカバーすることを目的とする。また、本発明は、周波数キャリアのいかなる特定の種類、幅等、限定されない。
【発明の効果】
【００２６】
以上説明したように、本発明によれば、パイロットシンボルがチャネル推定のために使用され、周波数帯域幅の一部分が信号の送信に使用されない、マルチキャリアシステムにおいて、より信頼性のあるチャネル推定を可能とする。
【図面の簡単な説明】
【００２７】
【図１】いくつかの小帯域サービスのためにノッチされた広帯域の周波数スペクトラムの周波数／振幅を示す図である。
【図２】埋め込まれたパイロットキャリアを含むデータキャリアの周波数／振幅を示す図である。
【図３】送信帯域幅の一部分が送信のために使用されない場合の図２の周波数／振幅を示す図である。
【図４】追加パイロット信号を有する図３の周波数／振幅を示す図である。
【図５】（Ａ）は、プリアンブルの周波数領域での様子を示す図であり、（Ｂ）は、（Ａ）のプリアンブルの時間領域での様子を示す図である。
【図６】（Ａ）は、プリアンブルの周波数領域での様子のさらなる例を示す図であり、（Ｂ）は、（Ａ）のプリアンブルの時間領域での様子を示す図である。
【図７】短縮トレーニングシンボル及びいくつかのデータシンボルで充満した、ＯＦＤＭの例を示す概略図である。
【図８】送信帯域幅のうち送信のために使用されない一部分における短縮プリアンブル又はトレーニングパターンの周波数領域での様子を示す図である。
【図９】（Ａ）は、図８の短縮プリアンブルを再び示す図であり、（Ｂ）は、送信帯域幅のうち信号の送信のために使用されない一部分の端において追加パイロット信号を含む対応するデータパターンの周波数領域での様子を示す図である。
【図１０】２つの送信機の場合の図２に類似した周波数／振幅を示す図である。
【図１１】図１０において送信帯域幅のうち信号の送信のために使用されない一部分の端において追加パイロット信号を有する場合の周波数／振幅を示す図である。
【図１２】周波数領域での隣接するパイロット信号間の距離が使用されない送信帯域幅の幅より広い、データ信号が埋め込まれたパイロット信号の周波数／振幅を示す図である。
【図１３】図１２において使用されない送信帯域幅がパイロット信号と一致しないようにパイロットパターンをシフトした場合を示す図である。
【図１４】本発明にかかる送信装置を示す概略ブロック図である。
【図１５】本発明にかかる受信装置を示す概略ブロック図である。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
以下の好適な実施の形態の説明において、本発明は、データ、すなわち信号データ、情報内容データ又はその他の種類のデータ、及びパイロット信号が相互に直交する周波数サブキャリア上にマッピングされるＯＦＤＭシステムに基づいて説明される。しかしながら、本発明は、所定の周波数帯域幅内での送信のために、データ及びパイロット信号等がマッピングされた複数の別個の周波数キャリアを使用した任意の通信システムや送信システムやリンクに適用されてもよい。
【００３０】
図２は、パイロットパターンに配置される複数のパイロット信号が、個別の周波数サブキャリア上にマッピングされたデータ信号の（一時的な）ストリームに埋め込まれた、ＯＦＤＭシステムのサブキャリアの周波数／時間の概略図を示す。多くの放送システムは、パイロット信号が埋め込まれたデータシンボルの連続送信を行っているが、近年提案された放送システムの一部分は、パイロットシンボルはトレーニングシンボル又はプリアンブルシンボル内に送信され、データはデータシンボル内に送信される時間的フレーム構造を使用している。コンテンツや信号データ等が２つの送受信機間でやりとりされる双方向通信システムは、フレームバーストのような時間的フレーム構造を通常使用しているが、他の適切な構造を使用してもよい。
【００３１】
図２は、各タイムスロットにおける１番目の周波数サブキャリアがパイロット信号３，４，５，６を伝送する一例を示す。さらに、定格周波数を含むパイロットパターン及びパイロット信号７，８，９，１０，１１，１２，１３，１４，１５，１６，１７の時間分布は、サブキャリアのキャリーデータに分布され、及び埋め込まれている。これにより、図２に示す１番目のタイムスロットにおいて、４番目のサブキャリアはパイロット信号７を伝送し、１３番目のサブキャリアはパイロット信号１１を伝送し、２２番目のサブキャリアはパイロット信号１５を伝送する。２番目のタイムスロットにおいて、７番目のサブキャリアはパイロット信号９を伝送し、１６番目のサブキャリアはパイロット信号１３を伝送し、２５番目のサブキャリアはパイロット信号１７を伝送する。３番目のタイムスロットにおいて、１０番目のサブキャリアはパイロット信号１０を伝送し、１９番目のサブキャリアはパイロット信号１４を伝送する。４番目のタイムスロットにおいては、パイロット信号は１番目のタイムスロットと同一のサブキャリアに配置され、すなわち、４番目のサブキャリアはパイロット信号８を伝送し、１３番目のサブキャリアはパイロット信号１２を伝送し、２２番目のサブキャリアはパイロット信号１６を伝送する。言い換えれば、パイロット信号の配置は４タイムスロットおきに反復され、パイロット信号は１０サブキャリアおきに配置され、個別のタイムスロットにおけるパイロット信号は後続タイムスロットにおいて３サブキャリアだけシフトする。例えば、図２において、１番目のタイムススロットにおける４番目のサブキャリアのパイロット信号７と２番目のタイムスロットにおける７番目のサブキャリアのパイロット信号９とは３サブキャリアだけシフトされる。
【００３２】
当然のことながら、図２（明細書の他の図も同様。）に示す各々のタイムスロットにおけるパイロット信号の繰り返し率やパイロット信号の時間的繰り返し率は、ただの一例であり、それぞれのシステムの要求に応じて、その他のパイロットパターンが使用できる。さらに、反復を含む標準のパイロットパターン及び／又は標準の構造が通常は使われるが、システムの要求に応じて、いかなる種類の適切な規則的又は不規則なパイロットパターン（時間及び／又は周波数領域において）を使用することが可能である。本明細書において、パイロットパターンとの用語は、いかなる種類の規則的な又は反復的なパターンに限定されないが、パイロット信号のいかなる種類の好適な配置を含む。
【００３３】
図２に示された例のようにパイロット信号及びデータ信号を含むサブキャリアパターンの生成、時間領域へのサブキャリアパターンの対応する変換、及び時間領域での信号の実際の送信信号への変換の後、それぞれの送信装置又は送受信装置において、それぞれの使用した通信又は送信システムに応じてシンボルはいっぱいになり、信号は受信側における受信又は送受信装置において受信され、周波数領域に戻って処理される。信号を受信する受信装置又は送受信装置において、信号は処理されて周波数領域に変換される。次に、受信されたパイロット信号は、データを伝送する周波数サブキャリアのためのチャネル推定の実行に使用され、パイロット信号のコンテンツ及び特徴は受信機に知られる。例えば、受信機は予想されたパイロット信号の振幅及び位相を知る。擬似ノイズ（ｐｎ）シーケンスがよく使用されるが、他の適切なシーケンスが適用され得る。知られた及び予想されたパイロット信号と実際に受信されたパイロット信号との比較により、周波数及び時間領域において、隣接するパイロット信号間のデータを伝送する周波数キャリアのためのチャネル推定を受信機が実行することを可能にする。例えば、受信機は２つの隣接するパイロット信号間の時間補間を最初に実行し、それぞれの周波数サブキャリアのための時間補間された値が再び周波数方向において補間された後に、それぞれのサブキャリアのためのチャネル推定及び補正値が得られる。もちろん、データサブキャリアのためのチャネル推定値を得る他の方法も使用され得る。
【００３４】
パイロットパターン及びパイロット信号の密度の個別の選択は、システムの要求及び構造によって決まる。パイロット信号の数の増加は通常はチャネル推定の質を促進するが、パイロットパターンの配置は常にチャネル処理能力とチャネル推定の質との間での歩み寄りであるため、送信能力は減少する。重要な配置の要因は、受信側における適切なチャネル推定を保障するために、いくつかのオーバーサンプリングがよく追加される、いわゆるナイキスト基準である。
【００３５】
しかしながら、大抵のシステムは、１つ又は多くのパイロット信号が欠落している場合、又は受信側において受信されない場合、チャネル推定の質が低下する方法で設計される。送信帯域幅が欠落した一部分１８を含む図２の周波数／時間の概略図を示す図３において一例が視覚化される。ノッチシステムの場合は、上述したように、送信帯域幅全体の小さな部分が除外又はノッチされ、それ故に信号の送信のために使用されない。図３の例において、多くの、例えば６つのサブキャリアは信号の送信に使用されない。従って、サブキャリアのパイロット信号、例に示されたパイロット信号１１，１２，１３は送信されず、それ故に受信側におけるチャネル推定の実行に使用され得ない。このため、信号の送信に使用されない一部分１８に隣接する領域のサブキャリア１９，２０は受信側における適切なチャネル推定を行えない。これら隣接する領域は、周波数ノッチ１８とパイロット信号を含む次の（周波数方向における）サブキャリア、例に示されたサブキャリア１０，１４との間のサブキャリアから構成される。
【００３６】
第１の実施形態において、図４に一例を示すように、本発明は、送信帯域幅のうち信号の送信に使用されない一部分１８に隣接する周波数サブキャリアに追加パイロット信号をマッピングすることを提案する。図４は、追加パイロット信号２１，２２，２３，２４，２５，２６，２７，２８が、送信帯域幅のうち信号の送信に使用されない一部分１８と直接隣り合う又は端における全ての周波数サブキャリア上にマッピングされる、図３の周波数／時間の概略図を示す。追加パイロット信号が、一部分１８と直接隣り合う全ての周波数サブキャリアにマッピングされる場合は、受信側におけるチャネル推定の信頼性は著しく改善される。しかしながら、データ処理能力を過度に低下させないために、追加パイロット信号が一部分１８と直接隣り合う全ての周波数キャリアにマッピングされるのではなく、いくつかの周波数サブキャリア上にマッピングされれば、より信頼性のあるチャネル推定のために十分である。例えば、追加パイロット信号が元のパイロットパターンと同一の時間分布を有してもよい。図４の例において、元のパイロットパターンの３つのシンボルの時間的繰り返し率が維持されるように、追加パイロット信号２１，２４，２５，２８だけが一部分１８と直接隣り合う周波数サブキャリア上にマッピングされてもよい。周波数サブキャリア２２，２３，２６，２７はデータ信号のために利用できるだろう。より一般には、受信側における優良な及びより信頼性のあるチャネル推定を可能とし、それでも優良なデータ処理能力を提供する、任意の種類の適切な周波数及び／又は時間スキーム又は分布で、追加パイロット信号を一部分１８と隣接するサブキャリアにマッピングしてもよい。そのような場合において、追加パイロット信号の密度は元のパイロットパターンの時間及び／又は周波数分布よりも広い又は狭いことさえあり得る。また、周波数ノッチ１８に直接隣り合うサブキャリアだけに追加パイロット信号を割り当てることは有利であるかもしれない。しかし、周波数ノッチ１８とパイロット信号を含む次の（周波数方向において）サブキャリア、例に示されたサブキャリア１０，１４との間の任意の適切なサブキャリアに追加パイロット信号を追加することもまた選択的又は追加的に可能である。また、追加パイロット信号のための擬似ノイズ（ｐｎ）シーケンスを使用することは有利であるかもしれないが、他の適切なシーケンスも適用され得る。位置に関する上記の状態、追加パイロット信号の本質及び特徴は以下記載された全ての実施形態において適用される。
【００３７】
本発明の上述した例及び実施形態は、例えば、パイロットが埋め込まれた継続的な時間的ストリームでデータが送信される、古典的な放送システムのような、パイロット信号がデータキャリア内に埋め込まれたシステムに基づいていた。
【００３８】
以下の例及び実施形態は、パイロット信号がプリアンブルシンボル又はトレーニングシンボルで送信され、データがデータシンボルで送信されるシステムを対象とする。双方向通信システムにおいて、プリアンブル又はトレーニングシンボルは、例えば、時間及び／又は周波数の同期化、（周波数及びサンプリング周波数）オフセット補正、受信側におけるチャネル推定及び／又は自動利得制御調整のために使用される。つい最近提案された放送ＯＦＤＭシステムにおいて、プリアンブル又はトレーニングシンボルは、初期のチャネル推定及び／又はオフセット補正や、ごく基本的な送信パラメータのポテンシャル信号送信のために、例えば、それぞれの時間的フレームの最初の部分において使用される。フレームは１つ又は多くのプリアンブル又はトレーニングシンボル、及び多数のデータシンボルから構成される。
【００３９】
図５（Ａ）は、例えば、利用できる２０４８本の全ての周波数サブキャリアがそれぞれのパイロットを伝送できるように、全てのサブキャリア２９がパイロット信号を伝送する、プリアンブル又はトレーニングパターンの一例の周波数領域での様子を示す。図５（Ｂ）は、図５（Ａ）のプリアンブル又はトレーニングパターンの時間領域での様子を示す。時間領域でのプリアンブルシンボル又はトレーニングシンボルは、示された例において、シンボルで形成された２０４８個の時間サンプル３０を有し、繰り返し率は２０４８個の時間サンプルである。図６（Ａ）は、４本に１本のサブキャリア３１だけがパイロット信号を伝送し、中間のサブキャリア３２はゼロがマッピングされた、プリアンブルパターン又はトレーニングパターンの周波数領域での様子を示す。時間領域への変換の後、図６（Ｂ）に示すように、プリアンブルシンボル又はトレーニングシンボルの時間領域での信号は４つの繰り返し単位（４本に１本のサブキャリア３１がパイロット信号を伝送することに相当する。）を示し、それぞれの繰り返しパターン３３，３４，３５，３６は同一の時間サンプル３７を有する。示された例において、全体のシンボルの長さが再び２０４８サンプルとなるように、全ての繰り返しパターンは５１２サンプルの長さを有する。もちろん、求められたアプリケーション及び使用された通信システム応じて、他の数が割り当てられてもよい。一般に、周波数領域におけるパイロット信号の密度の減少は、時間領域におけるより多数の繰り返し単位をもたらす。これら短縮トレーニングシンボル又はプリアンブルシンボルは（すなわち、それぞれの繰り返しパターンが短縮トレーニングシンボル又はプリアンブルシンボルであると考えられている。）、ナイキスト状態が満たされるような、通常の状態であれば、完全なチャネル推定をまだ可能にする。図７は、短縮トレーニングシンボル３８で充満し、その後に多数のデータシンボル３９が続く、典型的なＯＦＤＭの概略例を示す。短縮トレーニングシンボルは、長いトレーニングシンボルと比較して、短時間での信頼性のある及び優良なチャネル推定を可能にする。例において、図６の例による短縮トレーニングシンボルは、図５の例と比較して、より高速で、依然として信頼性のあるチャネル推定を可能にする。
【００４０】
しかしながら、送信帯域幅全体の一部分が信号の送信のために使用されない場合、プリアンブルシンボル又はトレーニングシンボルの一部分は送信されず、受信側はチャネル推定のためのパイロットシンボルを欠く。一例が図８に示される。図８は、周波数帯域幅全体の一部分４０が信号の送信のために使用されない、図６（Ａ）と類似した、プリアンブルパターン又はトレーニングパターンの周波数領域での様子を示す。特に、トレーニング又はプリアンブルパターンのｍ番目（ｍは１より大きい自然数である。）のサブキャリアだけがパイロット信号を伝送する場合は、信号の送信のために使用されない一部分４０と直接隣り合う周波数サブキャリア、例えばサブキャリア４１に追加パイロット信号を追加することは可能でないので、プリアンブルパターン又はトレーニングパターンにおけるパイロット信号の繰り返し率は阻害され、時間領域における適切な繰り返しパターンを得ることは可能ではないだろう（図６（Ｂ）の説明を参照。）。この実施形態において、それ故に本発明は、信号の送信のために使用されない一部分４０と直接隣り合う、データパターンの周波数サブキャリアに追加パイロット信号を追加することを提案する。図９（Ａ）及び図９（Ｂ）はこの概念を視覚化する。図９（Ａ）は、基本的に図８に対応し、４本に１本のサブキャリアがパイロット信号を伝送し、中間のサブキャリア３２が空である若しくはゼロを伝送する、プリアンブル又はトレーニングパターンの周波数領域での様子を示す。信号の送信に使用されない帯域幅の一部分４０は、受信装置へ現在送信されていないパイロット信号を伝送しただろう。そのため、図９に示すように、データパターンにおいて、追加パイロット信号は信号の送信に使用されない一部分４０に直接隣り合う又は端のそれぞれのサブキャリア４２に追加される。データパターンは通常はそれぞれのサブキャリア上のデータ信号だけを伝送するがここでは周波数ノッチに隣接するサブキャリア４２上の追加パイロット信号を伝送する。このように、受信側において、使用されない送信帯域幅の一部分４０に隣接する領域のサブキャリアを除くサブキャリアが伝送しているデータは、プリアンブル又はトレーニングパターンのパイロット信号に基づいてチャネル推定される。図９（Ｂ）の例において、データパターンのサブキャリア４４は例えば、データサブキャリアの１つとしての同一のサブキャリア上のプリアンブル又はトレーニングパターンのパイロット信号と同様に、それらに近い周波数ノッチの端の追加パイロット信号４２の使用によってチャネル推定される。同様に、周波数ノッチの隣接する領域とは反対側の領域のデータサブキャリア４５は、周波数ノッチの端の追加パイロット信号４２、及びプリアンブル又はトレーニングパターンからのパイロット信号の使用によってチャネル推定される。図９（Ｂ）は、信号データパターンを示すだけであるが、時間領域でのＯＦＤＭバースト又はシンボルの構造に応じることは明確であるべきであり、それぞれのバーストが１つ又は多くのデータシンボルで構成することは可能である。この場合、プリアンブル又はトレーニングパターンに続く、１つのデータパターン、いくつかのデータパターン、又は全てのデータパターンにだけ追加パイロット信号を追加することは可能である。周波数ノッチによって影響されないデータパターンの全てのサブキャリアは、短縮トレーニングパターンのパイロット信号から依然としてチャネル推定され得る。周波数ノッチによって影響される、データパターンのサブキャリアは、トレーニングパターンからのパイロット信号と１つ又は多くのデータパターンの追加パイロット信号４２との混合からチャネル推定され得る。そのような概念で、ＯＦＤＭバーストの時間構造は依然として変わらないままである。
【００４１】
注目すべきは、いくつかのシステムにおいて、パイロット信号を含むプリアンブル又はトレーニングパターンと、パイロット信号が埋め込まれたデータパターンとの混合が可能であることである。これらの場合から、図４及び図９（Ｂ）に関して説明したとおり、本発明の概念を結合することができる。
【００４２】
第１及び第２の実施形態の概念は、２つ又は多くの送信機を含むＭＩＭＯ（multiple  input  multiple  output）システムに適用できる。そのようなＭＩＭＯシステムは、１つ又は複数の受信機による全ての有効な伝播経路におけるチャネル推定の抽出を可能とするために、直交するパイロット構造を必要とする。２つ又は多くの送信機を含むＭＩＭＯシステムのために、１つの送信機が元のパイロットパターンを送信し、他の送信機が周波数方向（及び最終的には時間方向も。）における全ての他のパイロットのための元のパイロット構造の信号を交互に入れ替える（又は複素共役を使用する。）、交互のパイロット構造が使用され得る。受信機が送信機から送られてくるそれぞれのパイロット信号を識別することができる間は、２つの又は多くの送信機によって送信された、固有の直交するパイロット信号（反転なし）を使用することを可能とする。
【００４３】
図１０は、図２に示されたものと類似した、２つの送信機を有するＭＩＭＯシステムの周波数／時間の（限定ではなく一例としての）概略図を示す。これにより、ＭＩＭＯシステムにおいて、それぞれのタイムスロットの最初から２つのサブキャリア、及びそれぞれのタイムスロットにおける最後から２つの周波数サブキャリアは、それぞれのパイロット信号がマッピングされる。図１０において、１番目の周波数サブキャリアのパイロット信号３，４，５，６に加えて、２番目のサブキャリアもパイロット信号３’，４’，５’，６’を伝送する。これにより、図１０に示すように、第１の送信機が周波数領域での信号に対応する時間領域での信号を送信する場合、第２の送信機は同様の信号を送信するだろう。しかし、反転された信号を有する、又は共役複素数となる、全ての他のパイロット信号、例えば、第２の送信機によって送信されたパイロット信号３’，４’，５’，６’は、反転されてもよい（第１の送信機によって送信されたそれぞれのパイロット信号に関する異符号又は複素共役。）。また、例えば、第２の送信機が、第１の送信機によって送信されたそれぞれのパイロット信号と比較して反転された値を含むパイロット信号７，９，１０，１２，１５，１７等を送信してもよい。図１１は、図１０のシステムで周波数ノッチされた場合の追加パイロット信号の割り当てを示す。前の実施形態、特に図４に関して記載されたものと似ているが、追加パイロット信号は送信帯域幅のうち信号の送信のために使用されない一部分１８と直接隣り合う周波数キャリア上にマッピングされる。２つの送信機を有する、記載されたＭＩＭＯシステムのために、２つの直接隣り合う周波数サブキャリアは追加パイロット信号２１，２１’，２２，２２’，２３，２３’，２４，２４’，２５，２５’，２６，２６’，２７，２７’，２８，２８’を伝送する。これにより、第２の送信機によって送信される全ての他のパイロット信号は、第１の送信機によって送信された、同一の周波数サブキャリアにおけるそれぞれのパイロット信号に関して反転される（符号変更又は複素共役）。例えば、第２の送信機は、第１の送信機に関してそれぞれ反転された値を含むパイロット信号２１’，２２’，２３’，２４’，２５’，２６’，２７’，２８’以外の、第１の送信機のように同一の値を含むパイロット信号２１，２２，２３，２４，２５，２６，２７，２８を伝送してもよい。他のパイロット信号、すなわち第１及び第２の送信機によって送信された元のパイロットパターンは変化がない周波数ノッチ内の周波数サブキャリアに受け入れられる。
【００４４】
以下、本発明のさらに別の実施形態が説明される。図１２は、パイロットシンボルのパイロットパターンがデータキャリアのストリーム内に挿入又は埋め込まれた、図２に説明されたものと類似した、システムの周波数／時間の概略図を示す。図２と類似するように、図１２のシステムはそれぞれのタイムスロットの１番目の周波数サブキャリアにおいてパイロット信号５０，５１，５２，５３を有する。さらに、システムは、データを含む周波数サブキャリア間に埋め込まれたパイロット信号５４，５５，５６，５７，５８，５９，６０，６１の規則的な割り振りパターンを有する。送信帯域幅の一部分１８は信号の送信のために使用されず、すなわちノッチされ、そのため、例えばパイロット信号５８，５９は送信されない。しかしながら、信号の送信に使用されない一部分１８の幅は、時間補間繰り返し率又は周波数方向におけるパイロット信号間の距離以下であるため、元のパイロットパターンのパイロット信号が周波数ノッチの範囲に含まれるのを回避するために、一部分１８がパイロット信号の間になるようにパイロットパターンの全体（１番目の周波数サブキャリアにおけるパイロットを除く。）をシフトすることは可能である。図１３はこのようにパイロットパターンをシフトさせた後の状況を視覚化する。周波数ノッチが隣接するパイロット間に位置し、及びいかなるパイロットも信号の送信のために使用されない一部分１８の範囲に含まれないように、図１２のパイロットパターンは周波数次元において３つのサブキャリアだけシフトされる。これにより、パイロットパターンの全体は維持され、受信側は全ての周波数サブキャリアのための優良な及び信頼性のあるチャネル推定を実行することができる。言い換えれば、周波数ノッチ内にいかなるパイロットも有さないために、パイロットパターンは１つ又は多くの周波数サブキャリアの位置だけシフトされる。シフト、すなわち、パイロットパターンがシフトされるサブキャリアの数は、基本的物理層情報、例えばプリアンブルの一部分として、又はその他の適切な方法によって送信機から受信機へ知らされ得る。
【００４５】
図１４は、本発明によって提案され、上述の実施形態において記載された、パイロットパターンの変更を実行するために必要な要素及び構造を備える、本発明にかかる送信装置の概略図を示す。当然のことながら、図１４は（同様に図１５も。）、本発明の機能を実行するために構成される、必要な構成要素のみを示すが、送信及び受信装置の実際の動作のために必要な追加要素は明確とする目的のため示されていない。本発明の送信装置６２は、それぞれ使用するマルチキャリアシステムの周波数キャリア上にパイロット信号を変調又はマッピングするように構成される変調手段又は要素６３を備える。送信装置６２は、さらに、変調手段６３にパイロット信号が周波数キャリア上にどのようにマッピングされるべきかどうか、例えば、送信帯域幅の一部分がノッチされたかどうか、すなわち信号の送信のために使用されないかどうかの情報、及び追加パイロットキャリアが図２〜図１１に関して説明されたように周波数ノッチと直接隣り合うサブキャリアに割り当てられるべきであるか、又は図１２及び図１３に関して説明されたようにパイロットパターンをシフトさせるべきかどうかの情報を提供するように構成されるパイロットパターン情報手段又は要素６４を備える。パイロットパターン情報手段６４はそのような情報を取得して、対応する変調手段６３を制御（又は少なくとも通知）し、これにより追加パイロット信号が割り当てられ、又は全体のパイロットパターンはシフトされる。これにより、パイロットパターン情報手段６４はそれぞれのパイロットパターンの変化及び信号情報を介した別の構成要素からの情報を受信できる。また、そのような情報は、本発明の送信装置６２が初期化されたときにパイロットパターン情報手段６４内に格納されてもよい。また、送信装置６２は周波数ノッチの検出又は測定する、それぞれのパイロットパターンに適用するある種の可能性を有する。そのような場合において、周波数ノッチのための検出器はパイロットパターン情報手段６４に含まれ得る。送信装置６２は、パイロットパターン情報手段６４からの対応する情報に基づいて周波数キャリア上のデータ信号を変調するように構成される変調手段６５をさらに備える。特に、パイロットパターンの変化後には、変調手段６５はどの周波数キャリアがデータのために有効であり、どの周波数キャリアが有効でないかを知る必要がある。変調手段６５からのデータキャリア及び変調手段６３からのパイロットキャリアは、例えばデータキャリア内にパイロットキャリアを埋め込むことによって、又はパイロット信号を含むプリアンブル又はトレーニングパターンを形成する及びデータ信号を含む別個のデータパターンを形成することによって、要求された通信システムに合わせて結合される。信号形成手段又は要素６６は時間領域でパイロット信号及びデータ信号を変換した後（不図示）、パイロット信号及びデータ信号から典型的な時間領域信号又はシンボルを形成する。その後、形成された信号は処理され、送信手段６７によって送信のために準備され、送信インタフェース６８によって送信される。送信インタフェース６８はアンテナ、アンテナパターン等のような無線インタフェース、又は有線のインタフェースであり得る。
【００４６】
図１５は、例えば本発明の送信装置６２から信号を受信するように構成され、上述した実施形態に記載された本発明の機能を実行するように構成された必要な構成要素を備え、本発明にかかる受信装置６９の概略ブロック図を示す。これにより、信号は受信インタフェース７０によって受信される。受信インタフェース７８はアンテナ、アンテナパターン等のような無線インタフェース、又は有線のインタフェースであり得る。受信した信号は受信手段又は要素７１によって処理、例えばダウンコンバート等され、そして、復調手段又は要素７２で復調される。復調手段７２は受信した時間領域の信号の周波数領域への変換、すなわち周波数キャリアへの変換を実行する。データキャリアは、データ処理手段又は要素７５において、例えば周波数キャリアからのデータ情報のデマッピングによってさらに処理される。データキャリアに埋め込まれた、又は復調手段７２から周波数キャリアにおける別個のトレーニング又はプリアンブルパターンとして渡されたパイロットキャリアは、適切なチャネル推定及びデータキャリアのデマッピングを可能にする必要な情報を有するデータ処理手段又は要素７５を提供するチャネル推定手段又は要素７３によって検出及び処理される。これにより、パイロットパターン情報手段又は要素７４を備える受信装置６９は、パイロット信号が周波数キャリア上のどこに及びどのようにしてマッピングされるかについての必要な情報を有するチャネル推定手段又は要素７３を備える。パイロットパターン情報手段又は要素７４は、前の実施形態において記載されたように、現在使用された又は変更されたパイロットパターンについてのチャネル推定手段又は要素７３の情報を取得又は提供する。例えば、図２〜図１１に関して説明されたように、周波数ノッチと直接隣り合う周波数キャリアに追加パイロット信号が追加される場合、パイロットパターン情報手段又は要素７４は、適切なチャネル推定が可能となるようにチャネル推定手段７３へそのような情報を提供する。同様に、図１２及び図１３に関して記載されたようにパイロットパターンがシフトされる場合、パイロットパターン情報手段又は要素７４はチャネル推定手段又は要素７３へそのような情報を提供する。シフトされたパイロットパターン又は追加パイロット信号についての情報は、信号データ等の手段によって、又はパイロット及び／又はパイロットパターンの変化についての受信装置６９の他のチャネル情報を通して、受信装置６９において取得され得る。また、受信装置は、ノッチ周波数又は周波数バンドについての情報の受信だけしてもよく、その後、パイロットパターン情報手段又は要素７４は、変化したパイロットパターン又は使用される追加パイロット信号を自動的に知り、対応するチャネル推定手段７３に情報を提供する。
【００４７】
当然のことながら、全ての追加パイロット信号はデータ処理能力の低下をもたらす。それ故に、経費を節約するために、追加パイロット信号の動的な操作が有利であるかもしれない。これにより、送信装置６２及び／又は受信装置６９は、周波数ノッチがチャネル推定のために必要とされるパイロット位置を含む場合、３番目の構成要素からの対応する情報を決定又は取得してもよい。これが確かであれば、周波数ノッチと直接隣り合う追加パイロット信号は送信側に挿入され、説明されているように受信側において評価される。いかなるパイロット位置も周波数ノッチによって影響されない場合、いかなる追加パイロットも挿入されない。また、明確な時間及び位置のためだけに信号の送信に使用されないであろう周波数バンドの一部分を動的にノッチすることは可能である。典型的に、送信装置６２は受信装置６９及び／又は逆も同様に、ノッチの存在を信号で伝えてもよい。このアプローチは送信機及び受信機間でのデータの信号伝送が可能である、デジタルケーブルシステム等のような双方向システムにおいて有利である。本発明は、ノッチング及び追加パイロット信号又はパイロットパターンのシフトがシステムが初期化されるときに送信機及び受信機において事前に格納される、送信装置６２及び受信装置６９がある周波数レンジのノッチングが常に必要であるという環境下で実行する状況において半永続的なアプローチのために好適である。
【００４８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４９】
６２    送信装置
６３    変調手段
６４    パイロットパターン情報手段
６５    変調手段
６６    信号形成手段
６７    送信手段
６８    送信インタフェース
６９    受信装置
７０    受信インタフェース
７１    受信手段
７２    復調手段
７３    チャネル推定手段
７４    パイロットパターン情報手段
７５    データ処理手段
【図１】
0005519190.tif 000002
【図２】
0005519190.tif 000003
【図３】
0005519190.tif 000004
【図４】
0005519190.tif 000005
【図５】
0005519190.tif 000006
【図６】
0005519190.tif 000007
【図７】
0005519190.tif 000008
【図８】
0005519190.tif 000009
【図９】
0005519190.tif 000010
【図１０】
0005519190.tif 000011
【図１１】
0005519190.tif 000012
【図１２】
0005519190.tif 000013
【図１３】
0005519190.tif 000014
【図１４】
0005519190.tif 000015
【図１５】
0005519190.tif 000016